(57)【要約】【課題】加熱効率が高く、制御部品への熱影響が少ない電気加熱調理器を提供する。【解決手段】前面に開口５１ａを有する加熱室５１を形成する内筐体５０と、開口５１ａを開閉する扉５７と、内筐体５０の上下に配された上ヒーター５２、下ヒーター５３と、上・下ヒーター５２、５３間に配され扉５７の開閉動作に連動して前後に移動する焼き網５４と、焼き網５４の後部に引っ掛けられると共に両端が内筐体５０の両側部に設けらた長穴５５を摺動する網棒５６と、前記扉５７の開閉動作に連動すると共に少なくとも前記扉５７が閉成された時に前記長穴５５を略閉止する遮蔽版６０を設けたもので、扉５７の閉止時に内筐体５０の側壁に設けた長穴５５が遮蔽板６０により略閉止されるので、内筐体５０内の熱が逃げず加熱効率の高い電気加熱調理器を提供できる。【選択図】図１
2006010201.tif 000002
【特許請求の範囲】
【請求項１】
前面に開口を有する加熱室を形成する内筐体と、該開口を開閉する扉と、前記内筐体の上下に配された上ヒーター、下ヒーターと、前記上・下ヒーター間に配され前記扉の開閉動作に連動して前後に移動する焼き網と、前記焼き網の後部に引っ掛けられると共に両端が前記内筐体の両側部に設けらた長穴を摺動する網棒と、前記扉の開閉動作に連動すると共に少なくとも前記扉が閉止された時に前記長穴を略閉止する遮蔽版を設けた電気加熱調理器。
【請求項２】
遮蔽板の一側を内筐体に回動自在に取付け、前記遮蔽板の下端面を網棒に載置した請求項１記載の電気加熱調理器。
【請求項３】
遮蔽板を内筐体に上下摺動自在に設け、前記遮蔽板の下端面を網棒に戴置した請求項１記載の電気加熱調理器。
【請求項４】
遮蔽板に長穴Ｂを設け、前記遮蔽板を内筐体に回動自在に取付けるとともに網棒を前記長穴Ｂに貫通させた請求項１記載の電気加熱調理器。
【請求項５】
遮蔽板を焼き網に固定した請求項１記載の電気加熱調理器。
【請求項６】
内筐体の側部にタイマー等の制御部品を配置する制御室を設け、前記遮蔽板を少なくとも前記制御室側に設けた請求項１〜５のいずれか１項に記載の電気加熱調理器。
【発明の詳細な説明】
【技術分野】
【０００１】
本発明は、一般家庭で用いられるオーブントースター等、焼き網を備えた電気加熱調理器に関するものである。
【背景技術】
【０００２】
従来、この種の電気加熱調理器の焼き網の後方部は、内筐体の両側壁に設けた長穴内を摺動し、前部を扉に設けた取付板に戴置して、扉の開閉に連動して焼き網を前後に摺動させるのが一般的な構成であった（例えば、特許文献１参照）。
【０００３】
図１１は、上記特許文献１に記載された従来の電気加熱調理器を示すものである。
【０００４】
図において、２４は前面に開口を有する加熱室２２を形成する内筐体で、内部の上下に上ヒーター３３、下ヒーター３４を備えている。２３は扉で前記開口を開閉自在に設けている。焼き網２７の後方は内筐体２４の両側壁に設けた長穴２４ｃ内を摺動し、焼き網２７の前部は扉２３に取付けた金具２６に嵌合して、扉２３の開閉動作に連動して焼き網２７を前後に摺動させている。
【特許文献１】特開平９−３７９６２号公報（第５頁、図１）
【発明の開示】
【発明が解決しようとする課題】
【０００５】
しかしながら、前記従来の構成では、加熱室２２内の熱が長穴２４ｃから加熱室２２外へ排出されるので加熱効率が悪くなったり、加熱室２２側方に取付けた制御部品（図示せず）が加熱されやすく、早期に故障するという課題を有していた。
【０００６】
本発明は、前記従来の課題を解決するもので、加熱室内の熱が加熱室外へ逃げにくくして加熱効率を高めるとともに、制御部品等への熱の影響を少なくして耐久性の優れた電気加熱調理器を提供することを目的とするものである。
【課題を解決するための手段】
【０００７】
前記従来の課題を解決するために、本発明の電気加熱調理器は、前面に開口を有する加熱室を形成する内筐体と、該開口を開閉する扉と、前記内筐体の上下に配された上ヒーター、下ヒーターと、前記上・下ヒーター間に配され前記扉の開閉動作に連動して前後に移動する焼き網と、前記焼き網の後部に引っ掛けられると共に両端が前記内筐体の両側部に設けらた長穴を摺動する網棒と、前記扉の開閉動作に連動すると共に少なくとも前記扉が閉止された時に前記長穴を略閉止する遮蔽版を設けたもので、扉の閉止時に内筐体の側壁に設けた長穴が遮蔽板により略閉止されるので、内筐体内の熱が逃げず加熱効率の高い電気加熱調理器を提供することができる。
【発明の効果】
【０００８】
本発明の電気加熱調理器は、扉の閉止時に内筐体に設けた長穴が、遮蔽板で略閉止されるので、加熱効率が高められ、さらに制御部品への熱影響を低下させ耐久性を向上させる事ができる。
【発明を実施するための最良の形態】
【０００９】
第１の発明は、前面に開口を有する加熱室を形成する内筐体と、該開口を開閉する扉と、前記内筐体の上下に配された上ヒーター、下ヒーターと、前記上・下ヒーター間に配され前記扉の開閉動作に連動して前後に移動する焼き網と、前記焼き網の後部に引っ掛けられると共に両端が前記内筐体の両側部に設けらた長穴を摺動する網棒と、前記扉の開閉動作に連動すると共に少なくとも前記扉が閉止された時に前記長穴を略閉止する遮蔽版を設けたもので、扉の閉止時に内筐体の側壁に設けた長穴が遮蔽板により略閉止されるので、内筐体内の熱が逃げず加熱効率の高い電気加熱調理器を提供することができる。
【００１０】
第２の発明は、特に、第１の発明の遮蔽板の一側を内筐体に回動自在に取付け、前記遮蔽板の下端面を網棒に載置したもので、遮蔽板が簡略な構成となり、安価で加熱効率の高い電気加熱調理器とすることができる。
【００１１】
第３の発明は、特に、第１の発明の遮蔽板を内筐体に上下摺動自在に設け、前記遮蔽板の下端面を網棒に戴置したもので、遮蔽板が簡略な構成となり、安価で加熱効率の高い電気加熱調理器とすることができる。
【００１２】
第４の発明は、特に、第１の発明の遮蔽板に長穴Ｂを設け、前記遮蔽板を内筐体に回動自在に取付けるとともに網棒を前記長穴Ｂに貫通させたもので、遮蔽板が確実に摺動することができる。
【００１３】
第５の発明は、特に、第１の発明の遮蔽板を焼き網に固定したもので、組み立てが簡略化できる。
【００１４】
第６の発明は、特に、第１〜５のいずれか１つの発明の内筐体の側部にタイマー等の制御部品を配置する制御室を設け、前記遮蔽板を少なくとも前記制御室側に設けたもので、加熱室内の熱が長穴を介して制御室内へ排出されないので、制御室内に設けた制御部品への熱の影響が少なくなり、安全で耐久性の高い電気加熱調理器を提供することができる。
【００１５】
以下、本発明の実施の形態について、図面を参照しながら説明する。なお、この実施の形態によって本発明が限定されるものではない。
【００１６】
（実施の形態１）
本発明の第１の実施の形態における電気加熱調理器について、図１〜４を用いて説明する。
【００１７】
図１〜４において、５０は前面に開口５１ａを有する加熱室５１を形成する内筐体で、上下に上ヒーター５２と、下ヒーター５３が配され、上・下ヒーター５２、５３間には焼き網５４を配している。内筐体５０の両側壁には長穴５５を設け、両側壁間を貫通して網棒５６を挿入している。５７は扉で、前記開口５１ａを開閉自在に設けている。該扉５７には、切り欠き穴５９を有する取付板５８が取付けられている。
【００１８】
焼き網５４の後部には引っ掛け部５４ａが設けられ、焼き網５４の後部を網棒５６に戴置した後、その引っ掛け部５４ａを網棒５６に後方より引っ掛けるようにしている。焼き網５４の前部は取付板５８の切り欠き穴５９に嵌合して、扉５７の開閉に連動して焼き網５４が内筐体５０内を前後に摺動するように構成されている。
【００１９】
６０は遮蔽板で、一側に段押しした爪６１を設け、その爪６１が内筐体５０に設けた丸穴５０ａに回動自在に挿入され、遮蔽板６０の下端面は網棒５６に戴置して、扉５７を閉止した時、遮蔽板６０が内筐体５０の長穴５５を略閉止する。６３は加熱室５１の側方に設けた制御室で、この制御室６３には上ヒーター５２や下ヒーター５３への通電を制御するタイマー等の制御部品６４を配して電気加熱調理器を構成している。
【００２０】
以上のように構成された電気加熱調理器について、以下その動作、作用を説明する。
【００２１】
まず、扉５７を開放すると、焼き網５４の前部が扉５７の取付板５８に設けた切り欠き穴５９に嵌合しているので、焼き網５４は前方に移動する。該焼き網５４の後部は網棒５６に戴置され且つ引っ掛けられているので、焼き網５４の前方への移動に伴い網棒５６が長穴５５内を摺動する。遮蔽板６０の下端面が網棒５６に戴置しているので、網棒５６の移動に伴い爪６１を中心に上方に回動する。
【００２２】
次に、扉５７を閉じる方向に回動させると、網棒５６が長穴５５内を摺動して後方に移動し、網棒５６に下端面を戴置している遮蔽板６０が爪６１を中心にして下方に回動し、内筐体５０の長穴５５を略閉止する。
【００２３】
扉５７を閉止して上ヒーター５２、下ヒーター５３に通電すると、加熱室５１内が加熱され温度が上昇する。この時内筐体５０の長穴５５は遮蔽板６０によって略閉止されているので、熱が加熱室５１より外に排出されず、従って加熱室５１内の加熱効率が上昇するとともに、制御室６３内に配した制御部品６４の温度上昇も押さえることができるので、制御部品６４の耐久性能を高めることができる。
【００２４】
以上のように、本実施の形態によれば、扉５７の開閉に連動して摺動する網棒５６に下端面が戴置され、回動自在に取付けられた遮蔽板６０により、扉５７閉止時に内筐体５０の長穴５５を略閉止するので、加熱効率の高い、しかも制御部品６４の耐久性能を向上させることができる電気加熱調理器とすることができる。
【００２５】
（実施の形態２）
図５は、本発明の第２の実施の形態における電気加熱調理器の扉閉止時の縦断面図、図６は、同電気加熱調理器の扉解放時の縦断面図である。なお、上記第１の実施に形態と同一の部分については、同一符号を付してその説明を省略する。
【００２６】
上記第１の実施の形態では、遮蔽板６０の一側に設けた爪６１を内筐体５０に設けた丸穴５０ａに回動自在に挿入し、遮蔽板６０が回動できるようにしたが、本実施の形態は、図５に示すように、遮蔽板６０の両端を、内筐体５０の両側壁に設けた長穴６５に上下動自在に嵌合させたものである。その他の構成は、上記第１の実施の形態と同一である。
【００２７】
以上のように構成された電気加熱調理器について、以下その動作、作用を説明する。
【００２８】
扉５７を開放する為に手前に倒すと、焼き網５４の前部が扉５７の取付板５８に設けた切り欠き穴５９に嵌合しているので焼き網５４は前方に摺動する。該焼き網５４の後部が網棒５６に戴置され、引っ掛けられているので、網棒５６は長穴５５内を摺動する。
【００２９】
遮蔽板６０の下端面が網棒５６に戴置しているので、遮蔽板６０は網棒５６によって上方に摺動する。扉５７を閉止すると網棒５６は長穴５５内を摺動して移動し、網棒５６に下端面を戴置している遮蔽板６０が下方に移動し、扉５７の閉止時においては遮蔽板６０は、内筐体５０の長穴５５を略閉止する位置まで移動することとなる。
【００３０】
扉５７を閉止して加熱すると、加熱室５１内は加熱により温度が上昇する。この時内筐体５０の長穴５５は遮蔽板６０によって略閉止されているので、熱が加熱室５１より排出されず、従って加熱室５１内の加熱効率が上昇するとともに、制御室６３内に配した制御部品６４の温度上昇も押さえることができるので、制御部品６４の耐久性能を高めることができる。
【００３１】
以上のように、本実施の形態においても扉５７の開閉に連動して摺動する網棒５６に下端面が戴置され、摺動自在に取付けられた遮蔽板６０により、扉５７の閉止時に内筐体５０の長穴５５を略閉止する構成とすることとなり、加熱効率の高い、しかも制御部品６４の耐久性能を向上させることができる電気加熱調理器とすることができる。
【００３２】
（実施の形態３）
図７は、本発明の第３の実施の形態における電気加熱調理器の扉閉止時の縦断面図、図８は、同電気加熱調理器の扉解放時の縦断面図である。なお、上記第１の実施に形態と同一の部分については、同一符号を付してその説明を省略する。
【００３３】
本実施の形態は、遮蔽板６０の取付け構成及び遮蔽板６０と網棒５６の連動構成以外は第１の実施例と同じであるので省略する。
【００３４】
図７、８において、夫々の遮蔽板６０は長穴Ｂ６７を有すると共に、その一端は、内筐体５０の両側壁に設けた丸穴Ｂ６６に回動自在に嵌合されている。この長穴Ｂ６７に網棒５６を貫通し、網棒５６の前後方向の摺動に応じて遮蔽板６０が丸穴Ｂ６６を中心に回動するようになっている。
【００３５】
以上のように構成された電気加熱調理器について、以下その動作、作用を説明する。
【００３６】
まず、扉５７を開放すると、焼き網５４の前部が扉５７の取付板５８に設けた切り欠き穴５９に嵌合しているので焼き網５４は前方に摺動する。該焼き網５４の後部は網棒５６に戴置され且つそれに引っ掛けられているので、網棒５６が長穴５５内を摺動する。
【００３７】
遮蔽板６０に設けた長穴Ｂ６７にも網棒５６を挿入しているので、遮蔽板６０は、網棒５６の移動に伴い丸穴Ｂ６６を中心に回動する。扉５７を閉止すると、網棒５６は長穴５５内を摺動して移動し、網棒５６が長穴Ｂ６７に挿入された遮蔽板６０は丸穴Ｂ６６を中心に回動し、扉５７の閉止時においては遮蔽板６０は、内筐体５０の長穴５５を略閉止する位置まで移動することとなる。
【００３８】
扉５７を閉止して加熱すると、加熱室５１内は加熱により温度が上昇する。この時内筐体５０の長穴５５は遮蔽板６０によって略閉止されているので、熱が加熱室５１より排出されず、従って加熱室５１内の加熱効率が上昇するとともに、制御室６３内に配した制御部品６４の温度上昇も押さえることができるので、制御部品６４の耐久性能を高めることができる。
【００３９】
以上のように、本実施例においても扉５７の開閉に連動して摺動する網棒５６によって遮蔽板６０が回動し、扉５７閉止時に内筐体５０の長穴５５を略閉止する構成とすることとなり、加熱効率の高い、しかも制御部品６４の耐久性能を向上させることができる電気加熱調理器とすることができる。
【００４０】
（実施例４）
図９は、本発明の第４の実施の形態における電気加熱調理器の扉閉止時の縦断面図、図１０は、同電気加熱調理器の扉解放時の縦断面図である。なお、上記実施の形態と同一の部分については、同一符号を付してその説明を省略する。
【００４１】
上記実施の形態では、遮蔽板６０を内筐体５０の両側壁に回動又は摺動自在に取り付けたが、本実施の形態は、図９、１０に示すように、遮蔽板６０を焼き網５４に固着したもので、扉５７の開放時には、図１０に示すように焼き網５４と共には遮蔽板６０が前方に移動し、また、扉５７の閉止時においては、図９に示すように遮蔽板６０が、内筐体５０の長穴５５を略閉止する位置に移動することとなる。
【００４２】
扉５７を閉止して加熱すると、加熱室５１内は加熱により温度が上昇する。この時内筐体５０の長穴５５は遮蔽板６０によって略閉止されているので、熱が加熱室５１より排出されず、従って加熱室５１内の加熱効率が上昇するとともに、制御室６３内に配した制御部品６４の温度上昇も押さえることができるので、制御部品６４の耐久性能を高めることができる。
【００４３】
以上のように、本実施の形態においても扉５７の開閉に連動して摺動する焼き網５４に取付けた遮蔽板６０により、扉５７の閉止時に内筐体５０の長穴５５を略閉止するので、加熱効率の高い、しかも制御部品６４の耐久性能を向上させることができる電気加熱調理器とすることができる。
【産業上の利用可能性】
【００４４】
以上のように、本発明にかかる電気加熱調理器は、焼き網の摺動を案内する内筐体の長穴を、扉閉止時に遮蔽板で閉止し、加熱室内の熱が逃げないので加熱効率を高くすることができ、オ−ブンやロースター等にも適用できる。
【図面の簡単な説明】
【００４５】
【図１】本発明の実施の形態１における電気加熱調理器の扉閉止時の縦面図
【図２】同電気加熱調理器の扉開放時の縦断面図
【図３】同電気加熱調理器の扉閉止時の横断面図
【図４】同電気加熱調理器の正面図
【図５】本発明の実施の形態２における電気加熱調理器の扉閉止時の縦断面図
【図６】同電気加熱調理器の扉開放時の縦断面図
【図７】本発明の実施の形態３における電気加熱調理器の扉閉止時の縦断面図
【図８】同電気加熱調理器の扉開放時の縦断面図
【図９】本発明の実施の形態４における電気加熱調理器の扉閉止時の縦断面図
【図１０】同電気加熱調理器の扉開放時の縦断面図
【図１１】従来の電気加熱調理器の縦断面図
【符号の説明】
【００４６】
５０  内筐体
５１  加熱室
５２  上ヒーター
５３  下ヒーター
５４  焼き網
５５  長穴
５６  網棒
５７  扉
６０  遮蔽板
６３  制御室
６４  制御部品
【図１】
2006010201.tif 000003
【図２】
2006010201.tif 000004
【図３】
2006010201.tif 000005
【図４】
2006010201.tif 000006
【図５】
2006010201.tif 000007
【図６】
2006010201.tif 000008
【図７】
2006010201.tif 000009
【図８】
2006010201.tif 000010
【図９】
2006010201.tif 000011
【図１０】
2006010201.tif 000012
【図１１】
2006010201.tif 000013